(57)【要約】  【課題】  圧縮機が遊動自在に支持されて配設された空気調和機の室外機において，簡単且つ効果的に室外機筐体及び圧縮機の保護を図ること。  【解決手段】  圧縮機４が遊動されたときに該圧縮機４から受ける所定未満の荷重により弾性変形し，該圧縮機４から受ける所定以上の荷重により塑性変形する保護部材５が，前記圧縮機４の遊動範囲内に位置する室外機Ｘの本体筐体１０に設けられている。これにより，前記圧縮機４が遊動されたときに，前記保護部材５が前記圧縮機４から受ける荷重が該保護部材５の弾性変形で吸収しきれないものであっても，該保護部材５が塑性変形することによりその荷重が吸収される。【選択図】図２
2007040624.tif 000002
【特許請求の範囲】
【請求項１】
冷媒を圧縮する圧縮機が遊動自在に配設されてなる空気調和機の室外機であって，
前記圧縮機の遊動範囲内に位置する本体筐体の内壁に設けられ，前記圧縮機が遊動されたときに該圧縮機から受ける所定未満の荷重により弾性変形し，所定以上の荷重により塑性変形する変形部材を備えてなることを特徴とする空気調和機の室外機。
【請求項２】
前記変形部材が，プラスチック部材或いは金属部材からなる請求項１に記載の空気調和機の室外機。
【請求項３】
前記変形部材が，前記本体筐体の内壁に着脱自在である請求項１又は２のいずれかに記載の空気調和機の室外機。
【請求項４】
前記変形部材が，前記本体筐体の内壁に接合されて該変形部材を支持する支持部と，該支持部により支持されて前記本体筐体の内壁との間に所定の間隙を介する位置で前記圧縮機が遊動されたときに該圧縮機からの荷重を受ける荷重受け部と，を有してなる請求項１〜３のいずれかに記載の空気調和機の室外機。
【発明の詳細な説明】
【技術分野】
【０００１】
本発明は，冷媒を圧縮する圧縮機が遊動自在に配設された空気調和機の室外機に関し，特に，前記室外機の本体筐体及び前記圧縮機の保護を図る技術に関するものである。
【背景技術】
【０００２】
冷媒を圧縮する圧縮機の駆動時に発生する振動が室外機の本体筐体（以下「室外機筐体」という）に伝達されることにより発生する騒音を防止するため，該室外機筐体において圧縮機は振動を吸収する防振ゴムなどの防振部材で支持される。ここで，前記圧縮機の典型的な防振対策としては，前記圧縮機の底面と前記室外機筐体の底板との間に前記防振部材を介在させて前記圧縮機をその底面から防振支持する構造が広く採用されている。
しかしながら，前記圧縮機を防振するために用いられる防振部材は，圧縮機の駆動時に発生する振動を吸収（緩衝）し得るように設定されているため，例えば，室外機の搬送時に該室外機に前記振動を超える強い力（加振力）が作用されると，前記防振部材ではその加振力を十分に吸収することができず，前記防振部材によって支持される支持点を支点として前記圧縮機が傾倒し，前記室外機筐体の内壁に衝突して該内壁を変形させる或いは前記圧縮機を損壊させるおそれがある。
そこで，特許文献１には，圧縮機を固定する固定機構を設け，室外機を搬送する際には，該固定機構により圧縮機を固定し，搬送後に該固定機構による固定を解除することが提案されている。これにより，搬送中における室外機筐体及び圧縮機の保護を図ることができる。しかし，この固定手法では，搬送前と搬送後に前記固定機構を調節するという煩雑な作業を要する。また，固定機構を設けることによるコストの増大や内部構成の複雑化が懸念される。
そこで，近年では，簡易的に室外機筐体及び圧縮機を保護するべく，該圧縮機の遊動範囲内に位置する室外機筐体の内壁に，前記圧縮機が遊動されたときに該圧縮機から荷重を受けて弾性変形するスポンジ等の弾性部材が緩衝材として設けられている。これにより，前記圧縮機からの荷重が前記弾性部材によって吸収されるため，前記室外機筐体と前記圧縮機との衝突防止が図られる。
【特許文献１】実公平６−３３２９７号公報
【発明の開示】
【発明が解決しようとする課題】
【０００３】
しかしながら，前記弾性部材を用いた手法では，前記圧縮機から受ける荷重が該弾性部材で吸収し得る程度である場合には，該弾性部材が弾性変形してその荷重が吸収されるが，前記圧縮機から受ける荷重がそれ以上である場合には，該弾性部材の弾性変形だけではその荷重を吸収しきれない。この場合，前記圧縮機が該弾性部材を介して前記室外機筐体と衝突することとなり，該圧縮機及び該室外機筐体の保護を図ることができないという問題がある。また，前記弾性部材として例えばスポンジ等の軟性部材を用いる場合には，該弾性部材は接着テープや接着剤等により前記室外機筐体の内壁に接合されることとなるため，時間の経過により接着力が低下して脱落するおそれがある。
従って，本発明は上記事情に鑑みてなされたものであり，その目的とするところは，簡単且つ効果的に室外機筐体及び圧縮機の保護を図ることにある。
【課題を解決するための手段】
【０００４】
上記目的を達成するために本発明は，冷媒を圧縮する圧縮機が遊動自在に配設されてなる空気調和機の室外機に適用されるものであって，前記圧縮機の遊動範囲内に位置する本体機筐体の内壁に設けられ，前記圧縮機が遊動されたときに該圧縮機から受ける所定未満の荷重により弾性変形し，所定以上の荷重により塑性変形する変形部材を備えてなることを特徴とする空気調和機の室外機として構成される。
本発明によれば，前記変形部材が弾性変形することにより吸収し得る荷重よりも大きい荷重が前記圧縮機から該変形部材に作用したとしても，該変形部材が塑性変形することによりその荷重が吸収される。これにより，前記圧縮機の遊動時における該圧縮機と前記室外機筐体との衝突のおそれが低減される。即ち，本発明によれば，前記圧縮機及び前記室外機筐体の保護を簡単且つ効果的に図ることが可能となる。
ここで，前記変形部材は，例えばプラスチック部材や金属部材からなることが考えられる。プラスチック部材や金属部材からなる前記変形部材であれば，前記室外機の本体筐体に係合爪の係合や螺子の螺着により確実に固定することが可能となり，これによって前記変形部材の脱落を防止することができる。
また，前記変形部材が塑性変形した場合に該変形部材を交換することができるように，該変形部材は，前記室外機の本体筐体の内壁に着脱自在であることが望ましい。
前記変形部材の具体例としては，前記本体筐体の内壁に接合されて該変形部材を支持する支持部と，該支持部により支持されて前記本体筐体の内壁との間に所定の間隙を介する位置で前記圧縮機が遊動されたときに該圧縮機からの荷重を受ける荷重受け部と，を有する構成が考えられる。
【発明の効果】
【０００５】
本発明によれば，前記変形部材が弾性変形することにより吸収し得る荷重よりも大きい荷重が前記圧縮機から該変形部材に作用したとしても，該変形部材が塑性変形することによりその荷重が吸収される。これにより，前記圧縮機の遊動時における該圧縮機と前記室外機筐体との衝突のおそれが低減される。即ち，本発明によれば，前記圧縮機及び前記室外機筐体の保護を簡単且つ効果的に図ることが可能となる。また，例えばプラスチック部材や金属部材からなる前記変形部材は，前記室外機の本体筐体に係合爪の係合や螺子の螺着により確実に固定することによって，脱落を防止することが可能である。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気調和機の室外機Ｘの内部構成を模式的に示した図，図２は変形部材の一例を説明するための図である。
まず，図１を用いて，本発明に係る空気調和機の室外機Ｘの概略構成について説明する。なお，図１（ａ）は前面板１３（図１（ｂ）参照）を取り外した状態の正面図，（ｂ）は上板１１（図１（ａ）参照）を取り外した状態の上面図である。
図１に示すように，前記室外機Ｘは，冷媒と空気との間で熱交換を行う熱交換器１と，前記熱交換器１に通過させる空気を送風する送風ファン２と，前記送風ファン２を駆動する駆動モータ３と，冷媒を圧縮する圧縮機４と，後述する保護部材５と，を備えて概略構成されている。また，図示しないが，前記圧縮機４の上方には，前記室外機Ｘを制御する制御部が配設されている。前記各構成要素は，前記室外機Ｘの本体筐体１０に内設されており，該本体筐体１０は，上板１１，底板１２，前面板１３，背面板１４，側板１５，１６及び仕切り板１７を有して構成されている。
【０００７】
前記圧縮機４は，該圧縮機４の駆動により発生する振動が前記本体筐体１０に伝達されて騒音となることを防止するため，振動を吸収する防振ゴムなどの防振部材４ａによって遊動自在に支持されている。なお，前記圧縮機４の底面と前記防振部材４ａとは，ボルト等で固定されている。ここでは，前記圧縮機４の防振支持構造が，該圧縮機４の底面と前記室外機筐体１０の底板１２との間に前記防振部材４ａが介在されることにより実現されているが，本発明は，前記圧縮機４の防振支持構造の実現手法にかかわらず，該圧縮機４が遊動自在に支持された室外機に適用可能である。
【０００８】
前述したように，前記室外機Ｘの搬送時などに強い加振力が加えられ，前記圧縮機４が遊動して，該圧縮機４と前記本体筐体１０とが衝突すれば，該圧縮機４の故障や該本体筐体１０の変形が生じることになるが，本室外機Ｘには，前記圧縮機４と前記本体筐体１０との衝突のおそれを低減することのできる保護部材５（変形部材の一例）が設けられている。以下，図２を用いて前記保護部材５について詳説する。なお，以下では，前記前面板１３に設けられた保護部材５を例にあげて説明するが，前記背面板１４，前記側板１５及び前記仕切り板１７に設けられた他の保護部材５についても同様である。
【０００９】
図２に示すように，前記保護部材５は，前記圧縮機４の遊動範囲内に位置する前記前面板１３の内壁１３ａに接合されて該保護部材５を支持する支持部５１と，該支持部５１により支持されて前記内壁１３ａとの間に所定の間隙を介する位置で前記圧縮機４が遊動されたときに該圧縮機４からの荷重を受ける荷重受け部５２と，を有して構成された簡易的な板状部材である。
この保護部材５は，金属部材からなり，前記圧縮機４が遊動されたときに該圧縮機４から受ける所定未満の荷重により弾性変形し，該圧縮機４から受ける所定以上の荷重により塑性変形する。即ち，前記保護部材５では，前記圧縮機４が遊動されたときに該圧縮機４から受ける荷重が該保護部材５の弾性変形で吸収しきれないものであっても，該保護部材５が塑性変形することにより，その荷重を吸収することができる。なお，前記保護部材５は，同様に弾性変形及び塑性変形するプラスチック部材で成形されたものであってもよい。また，前記支持部５１は，溶接によって前記内壁１３ａに接合されてもよいが，係合爪の係合や螺子の螺着などにより接合しておけば前記内壁１３ａに着脱自在となり交換が容易である。
このように構成された前記室外機Ｘでは，該室外機Ｘの搬送時に前記圧縮機４が，その遊動範囲内で遊動したとしても，前記圧縮機４に衝突することにより該圧縮機４からの荷重を受ける前記保護部材５が弾性変形或いはさらに塑性変形することにより，前記圧縮機４からの荷重が吸収されるため，該圧縮機４が前記前面板１３に衝突せず，該圧縮機４及び該前面板１３を保護することができる。また，従来では，前記圧縮機４と前記前面板１０との衝突に備えてある程度の板厚を確保する必要があったが，前記室外機Ｘでは，前記圧縮機４と前記前面板１３との衝突のおそれが低減されるため，該前面板１３の板厚を薄くすることも可能である。
以上のように，前記室外機Ｘでは，弾性変形及び塑性変形する性質を有する簡単な前記保護部材５が前記本体筐体１０に設けられることにより，前記圧縮機４と前記本体筐体１０との衝突のおそれが低減される。即ち，弾性部材を保護部材としていた従来に比べて，前記圧縮機４及び前記本体筐体１０を効果的に保護することができる。
【実施例】
【００１０】
前記実施の形態では，本発明に係る変形部材の一例として図２に示す保護部材５について説明したが，該変形部材の形状はこれに限られない。ここでは，前記変形部材の変形例について説明する。ここに，図３は，変形部材の他の例を説明するための模式図である。
図３に示すように，変形部材の一例である保護部材１０５は，前記圧縮機４の遊動範囲内に位置する前記前面板１３の内壁１３ａに，螺子１０６の螺合により接合されて該保護部材１０５を支持する支持部１５１と，該支持部１５１により支持されて前記前面板１３の内壁１３ａとの間に所定の間隙を介する位置で前記圧縮機４が遊動されたときに該圧縮機４からの荷重を受ける荷重受け部１５２及び１５３と，を有している。
このように構成された前記保護部材１０５を備えた前記室外機Ｘでは，該室外機Ｘの搬送時に前記圧縮機４が，その遊動範囲内で遊動したとしても，前記圧縮機４に衝突することにより該圧縮機４からの荷重を受ける前記荷重受け部１５２及び１５３が弾性変形或いはさらに塑性変形することにより，前記圧縮機４からの荷重が吸収されるため，該圧縮機４が前記前面板１３に衝突せず，該圧縮機４及び該前面板１３を保護することができる。
また，前記螺子１０６が螺合される前記前面板１３の螺合部１３ｂには，凹部が形成されており，該螺合部１３ｂの強度が向上されている。したがって，前記荷重受け部１５２，１５３で荷重を受けたときに，該荷重受け部１５２，１５３から前記螺合部１３ｂに作用する力に起因する前記前面板１３の変形が防止される。
【図面の簡単な説明】
【００１１】
【図１】本発明の実施の形態に係る空気調和機の室外機の内部構成を模式的に示した図。
【図２】変形部材の一例を説明するための模式図。
【図３】変形部材の他の例を説明するための模式図。
【符号の説明】
【００１２】
４…圧縮機
５，１０５…保護部材（変形部材の一例）
１０…本体筐体
１１…上板
１２…底板
１３…前面板
１３ａ…前面板１３の内壁
１３ｂ…螺合部
１４…背面板
１５，１６…側板
１７…仕切り板
５１，１５１…支持部
５２，１５２，１５３…荷重受け部
１０６…螺子
【図１】
2007040624.tif 000003
【図２】
2007040624.tif 000004
【図３】
2007040624.tif 000005